(57)【特許請求の範囲】
【請求項１】
縦方向と、前記縦方向に交差する横方向と、を有し、
排泄物を吸収する吸収性本体と、
前記吸収性本体の長手方向の一端側が接合され、着用する際に着用者の腹側に位置する腹側胴回り部と、
前記吸収性本体の前記長手方向の他端側が接合され、着用する際に前記着用者の背側に位置する背側胴回り部と、
を備えたパンツ型使い捨ておむつであって、
前記吸収性本体の非肌側には外装シートが設けられており、
前記横方向における前記吸収性本体の両側にはそれぞれ、前記長手方向に沿った防漏壁が設けられており、
前記防漏壁は、前記縦方向における下端領域に、横方向の端部が外側を向くように厚さ方向の一方側の面同士が接合された接合部を有し、前記縦方向において前記接合部よりも上側の領域に、前記厚さ方向の面同士が接合されていない非接合部を有し、
前記腹側から前記パンツ型使い捨ておむつを見たとき、前記下端領域において、前記防漏壁の少なくとも一部が前記外装シートから前記横方向に露出しており、
前記吸収性本体と前記外装シートとを前記厚さ方向に接合する接合領域を有し、
前記接合領域は、前記横方向の幅が、前記吸収性本体の前記長手方向の両端部における前記横方向の幅よりも狭い部分を前記下端領域に有する
ことを特徴とするパンツ型使い捨ておむつ。
【請求項２】
請求項１に記載のパンツ型使い捨ておむつであって、
前記外装シートの前記横方向の長さ及び前記防漏壁の前記横方向の長さが最大となるように、前記外装シート及び前記防漏壁を前記横方向の外側へ伸長させたとき、前記縦方向において前記外装シートの前記横方向の長さが最小となる位置では、前記横方向において前記吸収性本体の最外端からの前記外装シートの外側への突出量が、前記最外端からの前記防漏壁の外側への突出量よりも少ない
ことを特徴とするパンツ型使い捨ておむつ。
【請求項３】
請求項１又は２に記載のパンツ型使い捨ておむつであって、
前記吸収性本体は、前記長手方向に沿った吸収性コアを有し、
前記吸収性コアは、前記長手方向における一端部と他端部との間に括れ部を有し、
前記厚さ方向において、前記接合部は前記吸収性コアと重複しておらず、
前記横方向において、一方の前記接合部と他方の前記接合部との間隔は、前記吸収性コアの前記一端部における前記横方向の長さ及び前記吸収性コアの前記他端部における前記横方向の長さよりも短い
ことを特徴とするパンツ型使い捨ておむつ。
【請求項４】
縦方向と、前記縦方向に交差する横方向と、を有し、
排泄物を吸収する吸収性本体と、
前記吸収性本体の長手方向の一端側が接合され、着用する際に着用者の腹側に位置する腹側胴回り部と、
前記吸収性本体の前記長手方向の他端側が接合され、着用する際に前記着用者の背側に位置する背側胴回り部と、
を備えたパンツ型使い捨ておむつであって、
前記吸収性本体の非肌側には外装シートが設けられており、
前記横方向における前記吸収性本体の両側にはそれぞれ、前記長手方向に沿った防漏壁が設けられており、
前記防漏壁は、前記縦方向における下端領域に、横方向の端部が外側を向くように厚さ方向の一方側の面同士が接合された接合部を有し、前記縦方向において前記接合部よりも上側の領域に、前記厚さ方向の面同士が接合されていない非接合部を有し、
前記腹側から前記パンツ型使い捨ておむつを見たとき、前記下端領域において、前記防漏壁の少なくとも一部が前記外装シートから前記横方向に露出しており、
前記背側から前記パンツ型使い捨ておむつを見たとき、前記外装シートより横方向の外側に前記防漏壁が露出していない
ことを特徴とするパンツ型使い捨ておむつ。
【請求項５】
請求項４に記載のパンツ型使い捨ておむつであって、
前記防漏壁は、前記横方向の外側から内側に折り曲げられ、前記吸収性本体の肌側の面と前記厚さ方向に対向する下面部と、前記横方向の内側から外側へ折り曲げられ、前記下面部の肌側の面に重ねられた天面部と、を有し、
少なくとも前記防漏壁の前記長手方向における前記背側胴回り部の側では、前記非接合部よりも前記縦方向の上側の領域、かつ前記接合部よりも前記横方向の外側の領域において、前記吸収性本体の肌側の面と前記下面部の非肌側の面とが接合され、かつ前記下面部の肌側の面と前記天面部の非肌側の面とが接合されている
ことを特徴とするパンツ型使い捨ておむつ。
【請求項６】
縦方向と、前記縦方向に交差する横方向と、を有し、
排泄物を吸収する吸収性本体と、
前記吸収性本体の長手方向の一端側が接合され、着用する際に着用者の腹側に位置する腹側胴回り部と、
前記吸収性本体の前記長手方向の他端側が接合され、着用する際に前記着用者の背側に位置する背側胴回り部と、
を備えたパンツ型使い捨ておむつであって、
前記吸収性本体の非肌側には外装シートが設けられており、
前記横方向における前記吸収性本体の両側にはそれぞれ、前記長手方向に沿った防漏壁が設けられており、
前記防漏壁は、前記縦方向における下端領域に、横方向の端部が外側を向くように厚さ方向の一方側の面同士が接合された接合部を有し、前記縦方向において前記接合部よりも上側の領域に、前記厚さ方向の面同士が接合されていない非接合部を有し、
前記腹側から前記パンツ型使い捨ておむつを見たとき、前記下端領域において、前記防漏壁の少なくとも一部が前記外装シートから前記横方向に露出しており、
前記防漏壁には、前記長手方向に伸縮する脚回り弾性部材が前記横方向に複数並んで設けられており、
前記横方向において、前記接合部よりも外側に配置された前記脚回り弾性部材の数は、前記接合部及び前記接合部よりも内側に配置された前記脚回り弾性部材の数よりも多い
ことを特徴とするパンツ型使い捨ておむつ。
【請求項７】
請求項６に記載のパンツ型使い捨ておむつであって、
前記横方向において、前記接合部よりも外側に配置された前記脚回り弾性部材は、着色されている
ことを特徴とするパンツ型使い捨ておむつ。
【請求項８】
請求項７に記載のパンツ型使い捨ておむつであって、
前記腹側から前記パンツ型使い捨ておむつを見たとき、少なくとも前記非接合部が設けられた領域では、前記外装シートより横方向の外側に前記防漏壁が露出していない
ことを特徴とするパンツ型使い捨ておむつ。
【発明の詳細な説明】
【技術分野】
【０００１】
本発明は、パンツ型使い捨ておむつに関する。
【背景技術】
【０００２】
従来、使い捨ておむつとして、排泄物の横漏れ防止のための防漏壁が備えられたものが知られている。例えば、特許文献１には、装着者の腹側に当てられる前面部と、横方向の両側部が大腿部に当てられる中間部と、背側に当てられる後面部と、を有した本体に、一対の防漏壁（防漏カフ）が設けられたおむつが開示されている。
【０００３】
本体は、着用者（装着者）の受液側に向けられるトップシート、外側に向けられるバックシート、及びトップシートとバックシートとの間に挟まれて両シートよりも一回り小さな吸収性コアが積層されて構成されている。おむつの展開状態では、トップシート及びバックシートは中間部において横方向内側に括れており、砂時計形状を有している。一対の防漏壁は、横方向に間隔を空けて本体の受液側に配置されており、中間部では、トップシート及びバックシートの横方向の端よりも横方向内側に配置されている。
【先行技術文献】
【特許文献】
【０００４】
【特許文献１】特開２００５−２１８８７６号公報
【発明の概要】
【発明が解決しようとする課題】
【０００５】
特許文献１に記載のおむつでは、中間部において、トップシート及びバックシートの横方向の端よりも横方向の内側に防漏壁が配置されており、すなわち横方向において防漏壁がトップシート及びバックシートよりも外側に突出していない。このように、脚回り開口の外縁部の一部となる防漏壁がトップシート及びバックシートで隠れてしまうと、前方からおむつを見たときに、外観上脚回り開口の位置を視認しにくい。また、このおむつでは、パンツ型の状態において、防漏壁の縁が内側又は上側を向くように防漏壁が起立しているため、横方向からおむつを見たときに、脚回り開口の大きさが小さく見えてしまうことがある。よって、脚を通しにくい印象を着用者等に与えるおそれがある。
【０００６】
本発明は、上記のような問題に鑑みてなされたものであって、その目的とするところは、排泄物の漏れを抑制しながらも、脚を通しやすい印象を着用者等に与えることができるパンツ型使い捨ておむつを提供することにある。
【課題を解決するための手段】
【０００７】
上記目的を達成するための主たる発明は、
縦方向と、前記縦方向に交差する横方向と、を有し、
排泄物を吸収する吸収性本体と、
前記吸収性本体の長手方向の一端側が接合され、着用する際に着用者の腹側に位置する腹側胴回り部と、
前記吸収性本体の前記長手方向の他端側が接合され、着用する際に前記着用者の背側に位置する背側胴回り部と、
を備えたパンツ型使い捨ておむつであって、
前記吸収性本体の非肌側には外装シートが設けられており、
前記横方向における前記吸収性本体の両側にはそれぞれ、前記長手方向に沿った防漏壁が設けられており、
前記防漏壁は、前記縦方向における下端領域に、横方向の端部が外側を向くように厚さ方向の一方側の面同士が接合された接合部を有し、前記縦方向において前記接合部よりも上側の領域に、前記厚さ方向の面同士が接合されていない非接合部を有し、
前記腹側から前記パンツ型使い捨ておむつを見たとき、前記下端領域において、前記防漏壁の少なくとも一部が前記外装シートから前記横方向に露出しており、
前記吸収性本体と前記外装シートとを前記厚さ方向に接合する接合領域を有し、
前記接合領域は、前記横方向の幅が、前記吸収性本体の前記長手方向の両端部における前記横方向の幅よりも狭い部分を前記下端領域に有する
ことを特徴とするパンツ型使い捨ておむつである。
本発明の他の特徴については、本明細書及び添付図面の記載により明らかにする。
【発明の効果】
【０００８】
本発明によれば、排泄物の漏れを抑制しながらも、脚を通しやすい印象を着用者等に与えることができる。
【図面の簡単な説明】
【０００９】
【図１】本発明の実施形態に係るおむつの一構成例を示す概略斜視図である。
【図２】展開かつ伸長状態のおむつを着用者の肌側から見た概略平面図である。
【図３】展開かつ伸長状態のおむつにおいて、接合領域の位置を示した概略平面図である。
【図４】図４Ａは図２のＡ−Ａ線断面模式図、図４Ｂは図２のＢ−Ｂ線断面模式図、図４Ｃは図２のＣ−Ｃ線断面模式図である。
【図５】展開かつ伸長状態の防漏壁、及び吸収性本体を示す概略平面図である。
【図６】図４のＤ部拡大模式図である。
【図７】図７Ａは腹側からおむつを見たときの概略平面図、図７Ｂは背側からおむつを見たときの概略平面図である。
【図８】図８Ａ〜Ｃは、外装体の横方向の長さ及び防漏壁の横方向の長さが最大となるように、外装体及び防漏壁を横方向の外側へ伸長させた場合における、最小となる位置での厚さ方向の断面模式図であり、図８Ａは本実施形態に係るおむつの場合、図８Ｂは他の例に係るおむつの場合、図８Ｃは別の他の例に係るおむつの場合を示している。
【図９】おむつの着用状態について説明する説明図である。
【発明を実施するための形態】
【００１０】
本明細書及び添付図面の記載により、少なくとも以下の事項が明らかとなる。
【００１１】
縦方向と、前記縦方向に交差する横方向と、を有し、排泄物を吸収する吸収性本体と、前記吸収性本体の長手方向の一端側が接合され、着用する際に着用者の腹側に位置する腹側胴回り部と、前記吸収性本体の前記長手方向の他端側が接合され、着用する際に前記着用者の背側に位置する背側胴回り部と、を備えたパンツ型使い捨ておむつであって、前記吸収性本体の非肌側には外装シートが設けられており、前記横方向における前記吸収性本体の両側にはそれぞれ、前記長手方向に沿った防漏壁が設けられており、前記防漏壁は、前記縦方向における下端領域に、横方向の端部が外側を向くように厚さ方向の一方側の面同士が接合された接合部を有し、前記縦方向において前記接合部よりも上側の領域に、前記厚さ方向の面同士が接合されていない非接合部を有し、前記腹側から前記パンツ型使い捨ておむつを見たとき、前記下端領域において、前記防漏壁の少なくとも一部が前記外装シートから前記横方向に露出しているパンツ型使い捨ておむつが明らかとなる。
【００１２】
このようなパンツ型使い捨ておむつによれば、腹側（前方）からおむつを見たとき、横方向の端部が外側を向くように防漏壁が摘まれた領域において、防漏壁が外装シートより横方向の外側にはみ出しているため、脚回り開口の位置が分かりやすい。さらに、横方向から脚回り開口を見たとき、脚回り開口の外縁部の一部である防漏壁の横方向の端部が外側へ向いているため、防漏壁の横方向の端部が内側や上側を向いている場合と比べて脚回り開口（穴）が外観上より大きく見える。これにより、脚を通しやすい印象を着用者等に与えることができる。
【００１３】
かかるパンツ型使い捨ておむつであって、前記外装シートの前記横方向の長さ及び前記防漏壁の前記横方向の長さが最大となるように、前記外装シート及び前記防漏壁を前記横方向の外側へ伸長させたとき、前記縦方向において前記外装シートの前記横方向の長さが最小となる位置では、前記横方向において前記吸収性本体の最外端からの前記外装シートの外側への突出量が、前記最外端からの前記防漏壁の外側への突出量よりも少ないことが望ましい。
【００１４】
このようなパンツ型使い捨ておむつによれば、横方向において、脚回り開口の外縁の一部である防漏壁が、外装シートよりも横方向の外側に突出しているため、おむつを着用する際に脚回り開口の位置をより視認しやすくなる。これにより、着用者がおむつに脚を通そうとする際、脚回り開口の位置をしっかりと確認した上で脚を通すことができ、防漏壁に脚の指先が引っ掛かりにくくなる。
【００１５】
かかるパンツ型使い捨ておむつであって、前記吸収性本体と前記外装シートとを前記厚さ方向に接合する接合領域を有し、前記接合領域は、前記横方向の幅が、前記吸収性本体の前記長手方向の両端部における前記横方向の幅よりも狭い部分を前記下端領域に有することが望ましい。
【００１６】
このようなパンツ型使い捨ておむつによれば、接合部が設けられた領域（下端領域）は、おむつの着用状態において着用者の股間部分に配置される領域であり、当該領域において吸収性本体と外装シートとの接合領域における横方向の幅を狭くすることにより、脚回り開口付近では吸収性本体と外装シートとが接合されていない状態となる。これにより、柔軟性を有する外装シートがたくれやすくなり（皺がよりやすくなり）、脚回り開口がより見やすくなる。
【００１７】
かかるパンツ型使い捨ておむつであって、前記吸収性本体は、前記長手方向に沿った吸収性コアを有し、前記吸収性コアは、前記長手方向における一端部と他端部との間に括れ部を有し、前記厚さ方向において、前記接合部は前記吸収性コアと重複しておらず、前記横方向において、一方の前記接合部と他方の前記接合部との間隔は、前記吸収性コアの前記一端部における前記横方向の長さ及び前記吸収性コアの前記他端部における前記横方向の長さよりも短いことが望ましい。
【００１８】
このようなパンツ型使い捨ておむつによれば、横方向における吸収性コアの括れ部の両側の空間部分では、吸収性本体の剛性が低くなるため、よりたくれやすくなる。これにより、脚回り開口がより見やすくなる。また、当該空間部分に接合部が位置するため、剛性を有する接合部が、吸収性コアによって着用者の肌に押し付けられにくくなり、おむつの着用時における違和感も抑制することができる。
【００１９】
かかるパンツ型使い捨ておむつであって、前記背側から前記パンツ型使い捨ておむつを見たとき、前記外装シートより横方向の外側に前記防漏壁が露出していないことが望ましい。
【００２０】
このようなパンツ型使い捨ておむつによれば、おむつを腹側から見たときと背側から見たときとで、おむつの外観が異なっているため、おむつを着用する際に着用者はおむつの前後を認識しやすくなる。また、外装シートによって臀部が丸く包まれるといった印象を着用者に与えることができ、安心感を抱かせることができる。
【００２１】
かかるパンツ型使い捨ておむつであって、前記防漏壁は、前記横方向の外側から内側に折り曲げられ、前記吸収性本体の肌側の面と前記厚さ方向に対向する下面部と、前記横方向の内側から外側へ折り曲げられ、前記下面部の肌側の面に重ねられた天面部と、を有し、少なくとも前記防漏壁の前記長手方向における前記背側胴回り部の側では、前記非接合部よりも前記縦方向の上側の領域、かつ前記接合部よりも前記横方向の外側の領域において、前記吸収性本体の肌側の面と前記下面部の非肌側の面とが接合され、かつ前記下面部の肌側の面と前記天面部の非肌側の面とが接合されていることが望ましい。
【００２２】
このようなパンツ型使い捨ておむつによれば、防漏壁の長手方向の背側の端部が、横方向において接合部よりも外側で吸収性本体に固定されているため、非接合部が横方向内側から外側に向かって広がるように設けられる。これにより、おむつの背側では着用者の臀部の形状に沿ったカップ形状になりやすく、着用者はおむつの前後をより認識しやすくなると共に、臀部が丸く包まれるといった印象を着用者により与えることができる。
【００２３】
かかるパンツ型使い捨ておむつであって、前記防漏壁には、前記長手方向に伸縮する脚回り弾性部材が前記横方向に複数並んで設けられており、前記横方向において、前記接合部よりも外側に配置された前記脚回り弾性部材の数は、前記接合部及び前記接合部よりも内側に配置された前記脚回り弾性部材の数よりも多いことが望ましい。
【００２４】
このようなパンツ型使い捨ておむつによれば、防漏壁の横方向において、剛性を有する脚回り弾性部材を接合部よりも外側の領域に多く配置させることにより、防漏壁を構成するシート部材がめくれてしまったり、折れ曲がったりしにくくなり、防漏壁が外装シートより横方向の外側にさらに視認しやすくなる。
【００２５】
かかるパンツ型使い捨ておむつであって、前記横方向において、前記接合部よりも外側に配置された前記脚回り弾性部材は、着色されていることが望ましい。
【００２６】
このようなパンツ型使い捨ておむつによれば、防漏壁の横方向において、接合部よりも外側に配置された脚回り弾性部材が着色されていることにより、これらの脚回り弾性部材が目立つため、おむつを着用する際、脚回り開口の位置がより視認しやすくなる。
【００２７】
かかるパンツ型使い捨ておむつであって、前記腹側から前記パンツ型使い捨ておむつを見たとき、少なくとも前記非接合部が設けられた領域では、前記外装シートより横方向の外側に前記防漏壁が露出していないことが望ましい。
【００２８】
このようなパンツ型使い捨ておむつによれば、脚回りを一周するように脚回り弾性部材の全体が見えてしまうと締め付けが強い印象を与えるおそれがある。そのため、少なくとも非接合部が設けられた領域において防漏壁が外装シートに隠れていることによって、締め付けが強い印象を緩和してソフトな印象を与えることができる。
【００２９】
＝＝＝実施形態＝＝＝
本発明に係るパンツ型使い捨ておむつ（以下では、単におむつ１とする）の一例として、主に高齢者を対象としたパンツ型使い捨ておむつについて説明する。
【００３０】
（おむつ１の全体構成）
まず、おむつ１の全体構成について、図１、図２、図３、及び図４Ａ〜Ｃを参照して説明する。
【００３１】
図１は、おむつ１の一構成例を示す概略斜視図である。図２は、展開かつ伸長状態のおむつ１を着用者の肌側から見た概略平面図である。図３は、展開かつ伸長状態のおむつ１において、接合領域７の位置を示した概略平面図である。図４Ａは、図２のＡ−Ａ線断面模式図、図４Ｂは、図２のＢ−Ｂ線断面模式図、図４Ｃは、図２のＣ−Ｃ線断面模式図である。
【００３２】
おむつ１は、図１に示すように、「縦方向」と、縦方向に交差する「横方向」と、を有すると共に、図４Ａ〜Ｃに示すように、「厚さ方向」を有する。縦方向のうち、着用者の胴側が「上側」であり、着用者の股下側が「下側」である。また、着用者がおむつ１を着用した状態において、着用者の腹側に位置する側を単に「腹側」とし、着用者の背側に位置する側を単に「背側」とする。「厚さ方向」とは、おむつ１を構成する各部材が積層された方向であり、着用者がおむつ１を着用した状態において着用者の肌と接する側を「肌側」とし、その反対側を「非肌側」とする。以下では、厚さ方向の肌側を単に「肌側」とし、厚さ方向の非肌側を単に「非肌側」とする。
【００３３】
図１に示すように、おむつ１は、着用する際に着用者の腹側に位置する腹側胴回り部３と、着用者の背側に位置する背側胴回り部４と、着用者の股下に位置する股下部５と、を有する。このおむつ１は、図２、図３及び図４Ａ〜Ｃに示すように、尿等の排泄物を吸収する帯状の吸収性本体１０と、吸収性本体１０の非肌側に設けられた外装シートとしての外装体２０と、を備えており、外装体２０が、腹側胴回り部３と、背側胴回り部４と、股下部５と、を有している。
【００３４】
図２及び図３に示すように、おむつ１を展開して伸長させた状態において、吸収性本体１０は、長手方向の一端側が腹側胴回り部３に接合され、長手方向の他端側が背側胴回り部４に接合されている。すなわち、吸収性本体１０は、腹側胴回り部３と背側胴回り部４との間に架け渡されるように設けられている。また、股下部５は、腹側胴回り部３と背側胴回り部４との間に配置されている。
【００３５】
ここで、おむつ１の「伸長状態」とは、おむつ１に設けられた各弾性部材を伸長させることにより、おむつ１（製品）全体を皺なく伸長させた状態、具体的には、おむつ１を構成する各部材（例えば、腹側胴回り部３や背側胴回り部４を構成するシート部材等）の寸法がその部材単体の寸法と一致又はそれに近い寸法になるまで伸長させた状態のことをいう。
【００３６】
おむつ１は、図２及び図３に示す展開状態から、吸収性本体１０の長手方向における所定位置ＣＬ１０（図２及び図３において一点鎖線で示す）を折り位置として吸収性本体１０及び外装体２０が二つ折りされる。当該二つ折りの状態において、縦方向に沿った第１係止部１０１によって腹側胴回り部３の横方向の一端部と背側胴回り部４の横方向の一端部とが係止され、縦方向に沿った第２係止部１０２によって腹側胴回り部３の横方向の他端部と背側胴回り部４の横方向の他端部とが係止される。これにより、腹側胴回り部３と背側胴回り部４とが環状につながって、図１に示すような１つの胴回り開口１ＨＢ及び一対の脚回り開口１ＨＬが形成されてパンツ型のおむつとなる。
【００３７】
図２及び図３に示すように、第１係止部１０１は、腹側胴回り部３の上端から下端に亘って設けられた腹側第１係止領域３０１と、背側胴回り部４の上端から下端に亘って設けられた背側第１係止領域４０１とが接合されてなる。同様にして、第２係止部１０２は、腹側胴回り部３の上端から下端に亘って設けられた腹側第２係止領域３０２と、背側胴回り部４の上端から下端に亘って設けられた背側第２係止領域４０２とが接合されてなる。第１係止部１０１及び第２係止部１０２の接合手段としては、例えば溶着等が挙げられる。
【００３８】
（吸収性本体１０の構成）
吸収性本体１０は、図２及び図３に示すように平面視略長方形状であり、横方向の中央に設けられている。吸収性本体１０は、長手方向に沿った吸収性コア１１と、吸収性コア１１の肌側に配置されたトップシート１２と、吸収性コア１１の非肌側に配置されたバックシート１３と、を有している。なお、トップシート１２及びバックシート１３は、図４Ａ〜Ｃに示す。
【００３９】
吸収性コア１１は、尿等の液体を吸収して保持する部材であり、例えば高吸収性ポリマー（ＳＡＰ）が混入したパルプ繊維等の液体吸収性繊維により形成される。図２及び図３に示すように、吸収性コア１１は、平面視略砂時計形状であり、長手方向における一端部１１ｅａと他端部１１ｅｂとの間に括れ部１１ｃを有している。図４Ｂと図４Ｃとを比べてみて分かるように、括れ部１１ｃは、横方向の寸法が、一端部１１ｅａ及び他端部１１ｅｂの横方向の寸法（図５におけるＷ１１ｅａ、Ｗ１１ｅｂ）よりも小さい。なお、図４Ｂは、吸収性コア１１の一端部１１ｅａを含む腹側胴回り部３の厚さ方向の断面を模式的に示したものであり、吸収性コア１１の他端部１１ｅｂを含む背側胴回り部４側も同様である。
【００４０】
本実施形態では、吸収性コア１１は、図４Ｂ及び図４Ｃに示すように、ティッシュペーパーや不織布等の液透過性のシート部材からなるコアラップシート１１０によって外周面が覆われている。したがって、吸収性本体１０の長手方向において、括れ部１１ｃが形成された領域では、一端部１１ｅａ及び他端部１１ｅｂと比べて、吸収性コア１１の横端とコアラップシート１１０との横方向の間の距離が長い。なお、図４Ｂでは、コアラップシート１１０が吸収性コア１１の横端に接触しており、吸収性コア１１の横端とコアラップシート１１０との横方向の間の距離はほぼ０（ゼロ）である。
【００４１】
トップシート１２は、着用時において着用者の肌に接触し得る液透過性のシート部材であり、例えば親水性のエアスルー不織布やスパンボンド不織布等により形成される。バックシート１３は、吸収性コア１１に吸収された尿等の液体が外部に漏れ出すことを抑制するための液不透過性のシート部材であり、例えば樹脂フィルム等により形成される。
【００４２】
横方向における吸収性本体１０の両側にはそれぞれ、長手方向に沿った防漏壁５０が設けられている。防漏壁５０は、おむつ１の着用時において吸収性本体１０の横方向の側端部から着用者の肌側に向かって起立して、排泄物がおむつ１から外部へ漏れ出してしまうことを抑制するものであり、脚回り開口１ＨＬの外縁部の一部を構成している（図１参照）。この防漏壁５０の詳しい構成については、後述する。
【００４３】
（外装体２０の構成）
外装体２０は、第１外装シート部材２１、腹側第２外装シート部材２２ａ、及び背側第２外装シート部材２２ｂの３枚のシート部材を積層して形成されている。第１外装シート部材２１、腹側第２外装シート部材２２ａ、及び背側第２外装シート部材２２ｂはそれぞれ、例えばスパンボンド不織布等により形成された柔軟なシート部材である。本実施形態では、外装シートとしての外装体２０は、複数のシート部材を積層して形成されているが、必ずしも積層体である必要はなく、１枚のシート部材で外装体２０が形成されていてもよい。
【００４４】
第１外装シート部材２１は、図２及び図３に示すように、股下部５に相当する領域において横方向の内側に向かって括れており、平面視略砂時計形状である。横方向において第１外装シート部材２１が最も内側に括れた位置では、外装体２０全体における横方向の長さが最小となっており、おむつ１の着用時において着用者の股間に位置する。以下の説明では、おむつ１の縦方向において外装体２０の横方向の長さが最小となる位置（図２及び図３において一点鎖線で示す）を、単に「最小となる位置Ｐ２０」とする。なお、当該最小となる位置Ｐ２０において、おむつ１を厚さ方向に切断した場合の断面模式図が図４Ｃである。
【００４５】
この最小となる位置Ｐ２０は、パンツ型の状態のおむつ１において、縦方向の下端となる位置ＣＬ１０よりも前側（腹側）かつ上側に位置していることが望ましい。これにより、最小となる位置Ｐ２０よりも背側では、上方に向かうにつれて外装体２０の横方向の幅が大きくなるため、着用者の臀部を包み込むように外装体２０で覆うことができる。また、歩行時には、着用者は脚を前方（腹側）に出す動きをすることになるため、最小となる位置Ｐ２０が縦方向の下端となる位置ＣＬ１０よりも前側に位置していることによって、着用者の太腿がおむつ１の股下部５と擦れにくくなり、着用時における違和感を低減することができる。
【００４６】
また、図２及び図３に示すように、外装体２０は、最小となる位置Ｐ２０における横方向の幅が、吸収性本体１０の横方向の幅よりも小さく、すなわち外装体２０は、最小となる位置Ｐ２０において、吸収性本体１０の横端よりもさらに内側に括れていることが望ましい。これにより、胴回り開口１ＨＢから脚回り開口１ＨＬを覗き込んだ場合であっても、最小となる位置Ｐ２０では、外装体２０は見えなく、脚回り開口１ＨＬの外縁部の一部分である防漏壁５０を視認することが可能となるため、脚を通しやすい印象を着用者に与えることができる。
【００４７】
第１外装シート部材２１は、図４Ａ〜Ｃに示すように、吸収性本体１０のバックシート１３の非肌側に配置されている。第１外装シート部材２１とバックシート１３とは、図３に示すように、接合領域７において厚さ方向に互いに接合されている。すなわち、接合領域７は、吸収性本体１０と外装体２０とを厚さ方向に接合している。
【００４８】
本実施形態では、接合領域７は、図３に示すように、吸収性本体１０の長手方向の一端部１０ｅａと外装体２０の腹側部分とを厚さ方向に接合する腹側接合領域７ａと、吸収性本体１０の長手方向の他端部１０ｅｂと外装体２０の背側部分とを厚さ方向に接合する背側接合領域７ｂと、腹側接合領域７ａと背側接合領域７ｂとの長手方向の間に配置された中央接合領域７ｃと、を有している。中央接合領域７ｃは、長手方向において、腹側接合領域７ａと所定の距離だけ離間して配置されていると共に、背側接合領域７ｂとも所定の距離だけ離間して配置されている。しかしながら、接合領域７は、必ずしも複数の領域に分かれて構成されている必要はなく、吸収性本体１０の長手方向の一端部１０ｅａから他端部１０ｅｂに亘って連続して設けられていてもよい。
【００４９】
また、中央接合領域７ｃは、図３に示すように、横方向の幅Ｗ７ｃが腹側接合領域７ａ及び背側接合領域７ｂにおける横方向の幅Ｗ７ａ，Ｗ７ｂよりも狭い部分を有している。当該部分についての詳細は、後述する。
【００５０】
腹側第２外装シート部材２２ａは、図４Ｂに示すように、腹側胴回り部３側において、第１外装シート部材２１の非肌側に配置されている。図２及び図３に示すように、腹側第２外装シート部材２２ａは、縦方向において、腹側第１係止領域３０１の下端３０１ｕ及び腹側第２係止領域３０２の下端３０２ｕから最小となる位置Ｐ２０に向かうにつれて、横方向の幅（長さ）が漸次狭くなるように傾斜した形状である。
【００５１】
腹側第２外装シート部材２２ａと第１外装シート部材２１との厚さ方向の間には、横方向に沿った腹側胴回り弾性部材３１が縦方向に間隔を空けて複数設けられている。複数の腹側胴回り弾性部材３１は、例えば糸ゴム等を用いることができ、所定の伸長倍率で横方向に伸長された状態で腹側第２外装シート部材２２ａと第１外装シート部材２１との間に挟まれて接合されている。これら複数の腹側胴回り弾性部材３１によって、腹側胴回り部３に対して横方向の伸縮性が付与される。
【００５２】
背側第２外装シート部材２２ｂは、図４Ａに示すように、背側胴回り部４側において、第１外装シート部材２１の非肌側に配置されている。図２及び図３に示すように、背側第２外装シート部材２２ｂは、縦方向において、背側第１係止領域４０１の下端４０１ｕ及び背側第２係止領域４０２の下端４０２ｕから最小となる位置Ｐ２０に向かうにつれて、横方向の幅（長さ）が漸次狭くなるように横方向の内側かつ縦方向の下側に向かって湾曲した形状である。
【００５３】
背側第２外装シート部材２２ｂと第１外装シート部材２１との厚さ方向の間には、横方向に沿った背側胴回り弾性部材４１が縦方向に間隔を空けて複数設けられている。複数の背側胴回り弾性部材４１は、例えば糸ゴム等を用いることができ、所定の伸長倍率で横方向に伸長された状態で背側第２外装シート部材２２ｂと第１外装シート部材２１との間に挟まれて接合されている。これら複数の背側胴回り弾性部材４１によって、背側胴回り部４に対して横方向の伸縮性が付与される。
【００５４】
ここで、「伸長倍率」とは、例えば糸ゴム等の弾性部材において、自然長を１としたときの伸び度合いを示したものであり、伸長倍率が１．２の場合の例では、弾性部材は自然長から０．２だけ伸長していることになる。
【００５５】
さらに、背側第２外装シート部材２２ｂと第１外装シート部材２１との厚さ方向の間には、背側脚回り弾性部材４２が縦方向に間隔を空けて複数設けられている。複数の背側脚回り弾性部材４２は、厚さ方向において吸収性本体１０と重複するように横方向に沿って配置された直線部４２１と、直線部４２１の横方向の両端から横方向の外側かつ縦方向の上側に向かって湾曲して配置された湾曲部４２２と、を有する。直線部４２１は、厚さ方向において吸収性コア１１と重複する部分を有している。直線部４２１と湾曲部４２２とは、それぞれ異なる伸長倍率で伸長された状態で背側第２外装シート部材２２ｂと第１外装シート部材２１との間に接合されている。
【００５６】
本実施形態では、湾曲部４２２の伸長倍率は、直線部４２１の伸長倍率よりも大きい。湾曲部４２２は、背側第２外装シート部材２２ｂの横方向の外縁に沿うように配置されているが、湾曲部４２２が配置されたこの領域は、おむつ１の着用時に着用者の臀部に接触するため、着用者が脚を動かすことによって位置ずれを起こしやすい。そこで、湾曲部４２２の伸長倍率を直線部４２１の伸長倍率よりも大きくすることによって、湾曲部４２２における背側脚回り弾性部材４２の収縮力を強くし、位置ずれを起こしにくくすることができる。
【００５７】
また、湾曲部４２２における背側脚回り弾性部材４２の収縮力によって、脚回り開口１ＨＬの付近における外装体２０の収縮量が大きくなるため、外装体２０が着用者の臀部の丸みに沿ったカップ形状に変形しやすくなり、フィット性を高めることができる。なお、湾曲部４２２の伸長倍率は、必ずしも横方向において一定である必要はなく、横方向の位置によって伸長倍率が異なっていてもよい。
【００５８】
一方、吸収性コア１１と厚さ方向に重複する部分を有する直線部４２１の伸長倍率を湾曲部４２２の伸長倍率より小さくすることによって、吸収性コア１１が過度に収縮することを抑制することができる。なお、湾曲部４２２と同様に、直線部４２１の伸長倍率は、必ずしも横方向において一定である必要はなく、横方向の位置によって伸長倍率が異なっていてもよい。例えば、直線部４２１のうち横方向の中央部における伸長倍率が横方向の両端部における伸長倍率よりも小さい場合には、直線部４２１の横方向において応力に勾配が生じるため、フィット性を損なうことなく吸収性コア１１の過度な収縮を抑制することが可能となる。
【００５９】
（防漏壁５０の構成及び機能）
次に、防漏壁５０の構成及び機能について、図２、図３及び図４Ａ〜Ｃに加えて、図５、図６、図７Ａ及び図７Ｂ、図８Ａ〜Ｃ、並びに図９を参照して説明する。
【００６０】
図５は、展開かつ伸長状態の防漏壁５０、及び吸収性本体１０を示す概略平面図である。図６は、図４ＣのＤ部拡大模式図である。図７Ａは、腹側からおむつ１を見たときの概略平面図、図７Ｂは、背側からおむつ１を見たときの概略平面図である。図８Ａ〜Ｃは、外装体２０の横方向の長さ及び防漏壁５０の横方向の長さが最大となるように、外装体２０及び防漏壁５０を横方向の外側へ伸長させた場合における、最小となる位置Ｐ２０での厚さ方向の断面模式図であり、図８Ａは本実施形態に係るおむつ１の場合、図８Ｂは他の例に係るおむつの場合、図８Ｃは別の他の例に係るおむつの場合を示している。図９は、おむつ１の着用状態について説明する説明図である。
【００６１】
防漏壁５０は、図５に示すような矩形状のシート部材５０ｓを長手方向に沿った折り曲げ線ｆ１、ｆ２、ｆ３にて横方向に折り畳むことによって形成される。シート部材５０ｓは、例えば不織布等の柔軟性を有するシート部材である。
【００６２】
防漏壁５０には、長手方向に伸縮する脚回り弾性部材５５が横方向に間隔を空けて複数並んで設けられている。本実施形態では、図５に示すように、６本の脚回り弾性部材５５がそれぞれ、長手方向に所定の伸長倍率で伸長された状態でシート部材５０ｓ（防漏壁５０）に接合されている。これら複数の脚回り弾性部材５５によって、防漏壁５０に長手方向に沿った伸縮性が付与される。なお、以下では、６本の脚回り弾性部材５５をそれぞれ、第１脚回り弾性部材５５１、第２脚回り弾性部材５５２、第３脚回り弾性部材５５３、第４脚回り弾性部材５５４、第５脚回り弾性部材５５５、及び第６脚回り弾性部材５５６として説明する場合がある。
【００６３】
図５に示すように、シート部材５０ｓ（展開かつ伸長状態の防漏壁５０）は、横方向の外側端部５０ｅｏが吸収性本体１０よりも横方向の外側に張り出した状態で、横方向の内側端部５０ｅｉが吸収性本体１０の横方向の側端部に固定されている。具体的には、図４Ａ〜Ｃに示すように、シート部材５０ｓの横方向の内側端部５０ｅｉは、厚さ方向において吸収性コア１１とバックシート１３との間に接合されている。
【００６４】
このシート部材５０ｓにおいて、まず、図５に示す折り曲げ線ｆ１を基点として外側端部５０ｅｏを横方向の内側に向かって折り曲げ、その間に第１〜第６脚回り弾性部材５５１〜５５６を挟んだ状態でシート部材５０ｓ同士が厚さ方向に互いに接合される。これにより、シート部材５０ｓは２枚重ねの状態となる。
【００６５】
続いて、この２枚重ねの状態のシート部材５０ｓを、折り曲げ線ｆ２を基点として厚さ方向の非肌側かつ横方向の内側に向かって折り曲げた上で、折り曲げ線ｆ３を基点として厚さ方向の肌側かつ横方向の内側に向かって折り曲げる。これにより、図４Ａ〜Ｃ及び図６に示すように、厚さ方向の断面が略Ｓ字状に折り曲げられた防漏壁５０が形成される。図６に示すように、折り曲げ線ｆ３の位置が防漏壁５０を起立させる際の基部５０ｒｐとなる。なお、防漏壁５０は、必ずしも２枚重ね（複層）で形成されている必要はなく、図４Ａ〜Ｃで示す模式図のように単層で形成されていてもよい。
【００６６】
前述のような手順により形成された防漏壁５０は、図６に示すように、折り曲げ線ｆ３を基点としてシート部材５０ｓが横方向の外側から内側に折り曲げられ、吸収性本体１０の肌側の面（トップシート１２の肌側の面）と厚さ方向に対向する下面部５２と、折り曲げ線ｆ２を基点としてシート部材５０ｓが横方向の内側から外側に折り曲げられ、下面部５２の肌側の面に重ねられた天面部５１と、を有する。
【００６７】
図６に示すように、防漏壁５０は、天面部５１の非肌側の面５１ｂと下面部５２の肌側の面５２ａとが接合された、すなわちシート部材５０ｓの厚さ方向の一方側の面同士が接合された接合部６１を有している。このとき、天面部５１の横方向の端部（図５において第１脚回り弾性部材５５１を含む部分）が外側を向くようにシート部材５０ｓが摘まれて、当該摘まれた部分において厚さ方向の一方側の面同士が接合されている。接合部６１は、例えばホットメルト接着剤等の接着剤を用いた接着手段や、エンボス加工等の圧着手段を用いて形成されている。
【００６８】
なお、接合部６１は、必ずしも天面部５１の非肌側の面５１ｂ全体と下面部５２の肌側の面５２ａ全体とを接合している必要はなく、天面部５１及び下面部５２の一部の領域において、天面部５１の非肌側の面５１ｂと下面部５２の肌側の面５２ａとを接合するように接合部６１が形成されていてもよい。例えば、横方向において、防漏壁５０の内側端の位置（図６に示す折り曲げ線ｆ２の位置）に接合部６１が形成されていなくてもよい。なお、図６に示すように、接合部６１が形成されていない横方向の外側の領域では、天面部５１と下面部５２とが接合されておらず離脱可能である。
【００６９】
図２に示すように、接合部６１は、防漏壁５０の長手方向において、吸収性コア１１の括れ部１１ｃに相当する領域に長手方向に沿って設けられている。そして、防漏壁５０は、長手方向における接合部６１の外側の領域、すなわちおむつ１の縦方向における接合部６１よりも上側の領域には、シート部材５０ｓの厚さ方向の面同士が接合されていない非接合部６２を有している。
【００７０】
なお、接合部６１は、少なくとも、防漏壁５０の縦方向における下端領域、換言すれば長手方向における中央領域に有していればよい。この「下端領域」とは、パンツ型の状態のおむつ１において、縦方向の下端の位置ＣＬ１０（図２及び図３参照）を含む領域であって、おむつ１の着用時に着用者の股間に位置する領域である。本実施形態では、下端領域には、縦方向の下端の位置ＣＬ１０に加えて、最小となる位置Ｐ２０が含まれている。
【００７１】
図９に示すように、おむつ１の着用状態では、防漏壁５０のうち最も肌側に配置された天面部５１が着用者の身体と接触する。天面部５１のうち接合部６１が設けられた領域では、接合部６１によって天面部５１と下面部５２とが積層された状態で接合されているため、接合部６１が設けられていない領域と比較して剛性が高くなっている。これにより、当該接合部６１が設けられた領域では、防漏壁５０が変形しにくく、着用者の肌にしっかりと押し当ててフィットさせることができるため、おむつ１と肌との間に隙間が生じにくく、排泄物の横漏れを抑制することが可能である。
【００７２】
また、図７Ａに示すように、腹側（前側）からおむつ１を見たとき、具体的には、パッケージから取り出した製品状態のおむつ１を非肌側かつ腹側（正面側）から見たとき、下端領域５０ＢＡにおいて、防漏壁５０の少なくとも一部が外装体２０から横方向に露出している。このように、脚回り開口１ＨＬの外縁部の一部分である防漏壁５０が外装体２０から横方向の外側にはみ出していることにより、外観上、脚回り開口１ＨＬの位置が分かりやすくなる。そして、前述したように、防漏壁５０は、横方向の端部が外側へ向いているため、横方向から脚回り開口１ＨＬを見たとき、防漏壁５０の縁部が内側や上側を向いているおむつと比べて脚回り開口１ＨＬの大きさが外観上より大きく見える。これにより、脚を通しやすい印象を着用者等に与えることができる。
【００７３】
一方、図７Ｂに示すように、背側（後側）からおむつ１を見たとき、具体的には、パッケージから取り出した製品状態のおむつ１を非肌側かつ背側（背面側）から見たとき、防漏壁５０は、外装体２０よりも横方向の外側に露出していないため、外装体２０に隠れて見えない状態である。このように、おむつ１を腹側から見たときの外観と背側から見たときの外観とが異なっているため、おむつ１を着用する際に、着用者はおむつ１の前後を認識しやすくなり、間違えて前後を反対にして着用するといったことが抑制される。また、着用者が柔らかいシート部材で構成された外装体２０を視認することにより、臀部が外装体２０によって丸く包まれるといった印象を着用者に与えることができ、安心感を抱かせることが可能となる。
【００７４】
本実施形態では、接合部６１と背側脚回り弾性部材４２とが、厚さ方向において互いに重複する部分を有している。すなわち、展開状態のおむつ１を厚さ方向に見た場合に、接合部６１は背側脚回り弾性部材４２（直線部４２１）と交差しているため、背側脚回り弾性部材４２の弾性力（湾曲部４２２における弾性力）によって、着用者の臀部の形状に沿うように横方向の外側へ向かって斜め上方に接合部６１が引っ張り上げられる。したがって、接合部６１と着用者の（股間部における）肌との間に隙間が生じにくくなる。なお、前述したように、湾曲部４２２の伸長倍率が直線部４２１の伸長倍率よりも大きい接合部６１が横方向の外側へ向かって斜め上方により強く引っ張り上げられるため、より望ましい。
【００７５】
そして、縦方向において接合部６１よりも上側の領域には非接合部６２が設けられていることから、股間部分では、前述したように接合部６１により排泄物の漏れを抑制しながら、着用者の腹側胴回り部分及び背側胴回り部分では、柔軟性を有する非接合部６２が肌に接触するため、着用時における違和感や不快感を抑制することができる。
【００７６】
また、本実施形態では、図８Ａに示すように、外装体２０の横方向の長さ及び防漏壁５０の横方向の長さが最大となるように、外装体２０及び防漏壁５０を横方向の外側へ伸長させたとき、最小となる位置Ｐ２０では、横方向において吸収性本体１０の最外端１０ｅからの外装体２０（第１外装シート部材２１）の外側への突出量Ｗ２１が、横方向において吸収性本体１０の最外端１０ｅからの防漏壁５０の外側への突出量Ｗ５０よりも少ない（Ｗ２１＜Ｗ５０）。
【００７７】
ここで、「外装体２０の横方向の長さが最大となるように、外装体２０を横方向の外側へ伸長させたとき」とは、外装体２０に設けられた腹側胴回り弾性部材３１、背側胴回り弾性部材４１、及び背側脚回り弾性部材４２を伸長させることにより、外装体２０を構成する第１外装シート部材２１、腹側第２外装シート部材２２ａ、及び背側第２外装シート部材２２ｂの各寸法がその部材単体の寸法と一致又はそれに近い寸法になるまで皺なく伸長させたときをいう。
【００７８】
同様に、「防漏壁５０の横方向の長さが最大となるように、防漏壁５０を横方向の外側へ伸長させたとき」とは、基部５０ｒｐを基点にして着用者の肌へ向かって起立していた防漏壁５０を、横方向の外側へ伸長させた外装体２０と略平行になるまで横方向の外側へ引っ張り、皺なく伸長させたときをいう。なお、防漏壁５０は、接合部６１によって天面部５１及び下面部５２の一部の領域が互いに接合されているため、防漏壁５０の横方向の長さが最大となるときの当該長さＤ５０（図８Ａ〜Ｃ参照）は、接合部６１によって接合されている分だけシート部材５０ｓの横方向の長さＤ５００（図５参照）よりも短い（Ｄ５０＜Ｄ５００）。
【００７９】
また、防漏壁５０に設けられた複数の脚回り弾性部材５５の弾性力による影響を最小限すべく、これら複数の脚回り弾性部材５５も長手方向に伸長させることにより、防漏壁５０を構成するシート部材５０ｓの長手方向の寸法が単体における長手方向の寸法と一致又はそれに近い寸法になるまで皺なく伸長させた方が望ましい。なお、以下の説明において、外装体２０の横方向の長さ及び防漏壁５０の横方向の長さが最大となるように、外装体２０及び防漏壁５０を横方向の外側へ伸長させたときを、単に「最大伸長時」という。
【００８０】
防漏壁５０は、着用者の脚を通すための脚回り開口１ＨＬ（図１参照）の外縁部の一部であり、最小となる位置Ｐ２０において、防漏壁５０が外装体２０（第１外装シート部材２１）よりも横方向の内側に配置されている場合には、外装体２０によって脚回り開口１ＨＬの位置が視認しづらい。このような状況の中で着用者が脚回り開口１ＨＬに脚を通そうとすると、複数の脚回り弾性部材５５の弾性力により脚回り開口１ＨＬに沿って収縮した状態の防漏壁５０に脚が引っ掛かりやすくなり、引っ掛かった後に脚が外方向に抜けにくくなってしまう。
【００８１】
そこで、最大伸長時、横方向において吸収性本体１０の最外端１０ｅからの防漏壁５０の外側への突出量Ｗ５０が、吸収性本体１０の最外端１０ｅからの外装体２０（第１外装シート部材２１）の外側への突出量Ｗ２１よりも多くすることにより、防漏壁５０が外装体２０よりも横方向の外側に突出するため、着用者がおむつ１を着用する際に脚回り開口１ＨＬの位置をより視認しやすくなる。したがって、着用者は、脚回り開口１ＨＬの位置をしっかりと認識した上で脚を通すことが可能となるため、防漏壁５０に脚が引っ掛かりにくくなり、脚を通しやすい。
【００８２】
本実施形態では、最小となる位置Ｐ２０において、防漏壁５０の横端５０ｅは、吸収性本体１０の最外端１０ｅから横方向の外側へ突出している。一方、最小となる位置Ｐ２０において、第１外装シート部材２１（外装体２０）の横端２１ｅの横方向の位置が吸収性本体１０の最外端１０ｅの横方向の位置と同じであるため、第１外装シート部材２１は吸収性本体１０の最外端１０ｅから横方向の外側へ突出せず、第１外装シート部材２１の突出量Ｗ２１は０（ゼロ）である。よって、図８Ａでは、Ｗ２１を矢印で示している。
【００８３】
なお、第１外装シート部材２１は、最小となる位置Ｐ２０において、横端２１ｅの横方向の位置が吸収性本体１０の最外端１０ｅの横方向の位置と同じである必要はない。例えば、図８Ｂに示す他の例のように、横方向において、第１外装シート部材２１の横端２１ｅの位置が吸収性本体１０の最外端１０ｅの位置から外側へ突出していてもよい。この場合、吸収性本体１０の最外端１０ｅからの第１外装シート部材２１の横方向外側への突出量Ｗ２１は正の値を取る。また、図８Ｃに示す別の他の例のように、横方向において、第１外装シート部材２１の横端２１ｅが吸収性本体１０の最外端１０ｅの位置よりも内側に位置していてもよい。この場合、吸収性本体１０の最外端１０ｅからの第１外装シート部材２１の横方向外側への突出量Ｗ２１は負の値を取る。したがって、「外側への突出量」とは、正の値、０（ゼロ）、及び負の値のうちのいずれも取ることが可能である。
【００８４】
図２に示すように、接合部６１は、長手方向の一端６１ａが腹側第１係止領域３０１の下端３０１ｕと腹側第２係止領域３０２の下端３０２ｕとを結んだ線ＵＬ３よりも下側に位置しており、長手方向の他端６１ｂが背側第１係止領域４０１の下端４０１ｕと背側第２係止領域４０２の下端４０２ｕとを結んだ線ＵＬ４よりも下側に位置していることが望ましい。すなわち、縦方向において、第１係止部１０１の下端と第２係止部１０２の下端を結んだ線よりも下側に、防漏壁５０の接合部６１における腹側胴回り部３の側の端（一端６１ａ）及び背側胴回り部４の側の端（他端６１ｂ）が位置していることが望ましい。
【００８５】
なぜなら、縦方向において、接合部６１の長手方向の一端６１ａが、腹側第１係止領域３０１の下端３０１ｕと腹側第２係止領域３０２の下端３０２ｕとを結んだ線ＵＬ３よりも上側に位置している場合、すなわち剛性を有する接合部６１が腹側胴回り部３に位置している場合、着用者が脚回り開口１ＨＬに脚を通す際に接合部６１に脚の指先が引っ掛かってしまう可能性がある。そこで、縦方向において、腹側胴回り部３に接合部６１を位置させないことによって、接合部６１に脚の指先が引っ掛かってしまうといった事態が抑制され、着用者が脚を通しやすくなる。
【００８６】
また、縦方向において、接合部６１の長手方向の他端６１ｂが、背側第１係止領域４０１の下端４０１ｕと背側第２係止領域４０２の下端４０２ｕとを結んだ線ＵＬ４よりも上側に位置していない、すなわち剛性を有する接合部６１が背側胴回り部４に位置していないため、接合部６１が着用者の臀部や背中に食い込んでしまうといった事態が生じにくく、さらに柔軟性を有する非接合部６２が着用者の肌に接触するため、肌触りが良好となり、おむつ１の着用時における違和感や不快感を抑制することができる。
【００８７】
本実施形態では、図２及び図３に示すように、厚さ方向において、接合部６１は吸収性コア１１と重複しておらず、図５に示すように、横方向において、一方の接合部６１と他方の接合部６１との間隔Ｗ６１は、吸収性コア１１の長手方向の一端部１１ｅａにおける横方向の長さＷ１１ｅａ及び他端部１１ｅｂにおける横方向の長さＷ１１ｅｂよりも短い（Ｗ６１＜Ｗ１１ｅａ、Ｗ６１＜Ｗ１１ｅｂ）。
【００８８】
すなわち、剛性を有する接合部６１は、吸収性コア１１の括れ部１１ｃの横方向の外側に配置されており、柔軟性を有する非接合部６２が吸収性コア１１と重複している部分を有しているため、厚みを有する吸収性コア１１によって接合部６１が着用者の肌に押し付けられておむつ１の着用時における肌触りを悪化させてしまうといった事態を抑制される。そして、非接合部６２が着用者の肌に接触するため、おむつ１の着用時における肌触りが良好になると共に、防漏壁５０を着用者の身体の形状に従って変形させやすくなる。しかしながら、必ずしも、吸収性コア１１は括れ部１１ｃを有しており、接合部６１が括れ部１１ｃの横方向の外側に形成された空間部分に配置されている必要はない。
【００８９】
また、本実施形態では、図３に示すように、吸収性本体１０の長手方向において、接合部６１が設けられた領域には、吸収性本体１０と外装体２０とを厚さ方向に接合する接合領域７（中央接合領域７ｃ）の横方向の幅Ｗ７ｃが、吸収性本体１０の両端部１０ｅａ，１０ｅｂにおける接合領域７（腹側接合領域７ａ及び背側接合領域７ｂ）の横方向の幅Ｗ７ａ，Ｗ７ｂよりも狭い部分（以下、単に「当該狭い部分」とする）が設けられている（Ｗ７ｃ＜Ｗ７ａ、Ｗ７ｃ＜Ｗ７ｂ）。接合領域７における当該狭い部分は、横方向において接合部６１全体と重複して設けられている必要はなく、図３に示すように、横方向において接合部６１のうちの少なくとも一部と重複するように設けられていればよい。すなわち、接合領域７は、当該狭い部分を下端領域５０ＢＡ（図７Ａ参照）に有してさえいればよい。図３では、当該狭い部分における横方向の幅Ｗ７ｃは、一方の接合部６１と他方の接合部６１との間の距離Ｗ６１と同じである。
【００９０】
このように、おむつ１の着用時に着用者の股間に位置する下端領域５０ＢＡにおいて、接合領域７の横方向の幅を狭くすることにより（Ｗ７ｃ＜Ｗ７ａ、Ｗ７ｃ＜Ｗ７ｂ）、脚回り開口１ＨＬ（図１、図７Ａ及び図７Ｂ参照）の付近では吸収性本体１０と外装体２０とが厚さ方向に接合されていない状態となる。これにより、柔軟性を有する外装体２０はたくれやすく、皺が寄りやすくなるため、防漏壁５０が横方向の外側へより露出しやすく、外観上において脚回り開口１ＨＬの位置が視認しやすくなる。
【００９１】
図６に示すように、防漏壁５０に設けられた複数の脚回り弾性部材５５のうち、第１〜第５脚回り弾性部材５５１〜５５５は天面部５１に設けられており、横方向において、接合部６１よりも内側に第５脚回り弾性部材５５５が１本配置され、接合部６１よりも外側に４本の第１〜第４脚回り弾性部材５５１〜５５４が配置されている。したがって、横方向において、接合部６１よりも外側に配置された脚回り弾性部材５５の数は、接合部６１及び接合部６１よりも内側に配置された脚回り弾性部材５５の数よりも多い。
【００９２】
防漏壁５０の横方向において、接合部６１が設けられた領域よりも外側の領域では接合部６１が設けられた領域と比べて剛性が低いため、おむつ１の着用時においてシート部材５０ｓがめくれてしまったり、折れ曲がったりしやすい。しかしながら、おむつ１では、図９に示すように、防漏壁５０の横方向において、接合部６１が設けられた領域よりも外側の領域に、剛性を有する脚回り弾性部材５５を接合部６１が設けられた領域より多く配置させることによって当該外側の領域における剛性が高くなり、天面部５１の面形状を維持した状態で着用者の肌に当てることができ、フィット性の向上につながる。
【００９３】
なお、防漏壁５０の横方向において、接合部６１が設けられた領域よりも外側の領域に配置された第１〜第４脚回り弾性部材５５１〜５５４は着色されていることが望ましい。おむつ１を着用する際、防漏壁５０が外観上においても目立ち、脚回り開口１ＨＬ（図１参照）がより視認しやすくなるからである。
【００９４】
しかしながら、腹側からおむつ１を見たとき（図７Ａ参照）、着用者の脚回りを一周するように、着色された第１〜第４脚回り弾性部材５５１〜５５４の全体が見えてしまうと、脚回り弾性部材５５の弾性力による脚回りへの締め付けが強いといった印象を着用者に与えるおそれがある。そこで、腹側からおむつ１を見たとき、少なくとも非接合部６２が設けられた領域では、外装体２０より横方向の外側に防漏壁５０が露出していないことが望ましい。これにより、下端領域５０ＢＡよりも上側では、防漏壁５０が外装体２０によって隠れて見えないため、脚回り弾性部材５５の弾性力による脚回りへの締め付けが強いといった印象を緩和して柔らかいシート部材で構成された外装体２０が有するソフトな印象を着用者に与えることができる。
【００９５】
図６に示すように、下面部５２には、第５脚回り弾性部材５５５及び第６脚回り弾性部材５５６が設けられている。ここで、第５脚回り弾性部材５５５については、折り曲げ線ｆ２の位置とほぼ同じ位置に設けられていることから、天面部５１及び下面部５２の両方に設けられているものとする。
【００９６】
図２及び図４Ａに示すように、防漏壁５０の長手方向の両端部では、下側エンド接合部６３１によって、吸収性本体１０（トップシート１２）の肌側の面と下面部５２の非肌側の面とが接合され、上側エンド接合部６３２によって、下面部５２の肌側の面と天面部５１の非肌側の面とが接合されている。図２に示すように、下側エンド接合部６３１及び上側エンド接合部６３２は、非接合部６２よりも縦方向の上側の領域、かつ接合部６１よりも横方向の外側の領域に配置されている。
【００９７】
なお、本実施形態では、下側エンド接合部６３１及び上側エンド接合部６３２は、防漏壁５０の長手方向の両端部に設けられているが、少なくとも背側胴回り部４の側において、下側エンド接合部６３１及び上側エンド接合部６３２が非接合部６２よりも縦方向の上側の領域、かつ接合部６１よりも横方向の外側の領域に設けられていればよい。
【００９８】
仮に、接合部６１が背側胴回り部４の上端部まで設けられているような場合には、剛性を有する接合部６１が着用者の臀部の出っ張りの頂点部ｔ（図９参照）よりもさらに内側にずれやすく、臀部に食い込みやすくなってしまう。しかしながら、防漏壁５０の長手方向の背側の端部が、下側エンド接合部６３１及び上側エンド接合部６３２により横方向において接合部６１よりも外側で吸収性本体１０に固定されていることから、非接合部６２が横方向内側から外側へ向かって広がるように設けられる。
【００９９】
これにより、柔軟性を有する非接合部６２が臀部の出っ張りの頂点部ｔよりも横方向外側において臀部の形状にフィットし、接合部６１の横方向内側へのずれや臀部への食い込みを抑制することができる。また、非接合部６２が臀部の形状に沿ったカップ形状を維持しやすくなり、排泄物がより漏れにくい構造となる。
【０１００】
図４Ａに示すように、下面部５２の肌側の面と天面部５１の非肌側の面との接合部分である上側エンド接合部６３２は、横方向の内側から外側への折り曲げ位置に該当する折り曲げ線ｆ２の位置から所定距離Ｄ６３２だけ横方向の外側に離間して位置していることが望ましい。このように、剛性を有する上側エンド接合部６３２が防漏壁５０の折り曲げ位置に存在していないため、おむつ１の着用時において着用者の肌への違和感を軽減することができる。
【０１０１】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【符号の説明】
【０１０２】
１…おむつ（パンツ型使い捨ておむつ）
３…腹側胴回り部
４…背側胴回り部
７…接合領域
１０…吸収性本体
１０ｅ…最外端
１１…吸収性コア
１１ｃ…括れ部
２０…外装体（外装シート）
４２…背側脚回り弾性部材（弾性部材）
５０…防漏壁
５０ＢＡ…下端領域
５１…天面部
５２…下面部
５５…脚回り弾性部材
６１…接合部
６２…非接合部
１０１…第１係止部
１０２…第２係止部
４２１…直線部
４２２…湾曲部
５５１〜５５６…第１〜第６脚回り弾性
Ｐ２０…最小となる位置（縦方向において外装シートの横方向の長さが最小となる位置）
【図１】
0006427530.tif 000002
【図２】
0006427530.tif 000003
【図３】
0006427530.tif 000004
【図４】
0006427530.tif 000005
【図５】
0006427530.tif 000006
【図６】
0006427530.tif 000007
【図７】
0006427530.tif 000008
【図８】
0006427530.tif 000009
【図９】
0006427530.tif 000010